(57)【要約】【課題】屋内に放置等された電子キーによりドアが解錠される等の処理がユーザの意に反して行われるのを防止することで、防犯性を高めることができる電子キーシステム及び建物を提供する。【解決手段】建物には、玄関ドアの施解錠を行う施解錠装置１７と、施解錠装置１７の施解錠制御を行う屋外側コントローラ２１及び屋内側コントローラ３１とが設けられている。建物には、屋内外を跨る所定範囲を通信エリアとして電子キー４０と通信可能な屋外側通信部２２と、屋内における所定範囲を通信エリアとして電子キー４０と通信可能な屋内側通信部３２とが設けられ、これらの通信エリアが重複するように設定されている。屋外側通信部２２により電子キー４０からのＩＤコード信号が受信された場合には施解錠装置１７による施解錠が実行される一方、屋内側通信部３２により上記ＩＤコード信号が受信された場合には施解錠装置１７による施解錠が実行されない。【選択図】図３
2010203086.tif 000002
【特許請求の範囲】
【請求項１】
固有の識別情報を送信する電子キーと、
前記電子キーからの識別情報を無線通信により受信する第１通信部と、
前記第１通信部を通じて前記電子キーから受信した識別情報に基づいて、予め定められた処理を実行する処理部と、
を有する電子キーシステムにおいて、
建物の屋内における所定範囲を通信可能範囲として前記電子キーと無線通信する第２通信部と、
その第２通信部を通じて前記電子キーから識別情報を受信した場合には、前記第１通信部による識別情報の受信にかかわらず前記処理部による処理を行わないように制御する制御部と、
を備えたことを特徴とする電子キーシステム。
【請求項２】
前記処理部は、建物の出入口を開閉するドアを施解錠し又は開閉する駆動部であり、
前記第１通信部は、前記出入口の屋内外に跨る所定範囲を前記電子キーとの通信可能範囲とし、
前記制御部は、前記第１通信部を通じて前記電子キーから受信した識別情報に基づいて前記駆動部を駆動させる一方、前記第２通信部を通じて前記電子キーから識別情報を受信した場合には前記駆動部の駆動をしないように制御することを特徴とする請求項１に記載の電子キーシステム。
【請求項３】
前記第２通信部の通信可能範囲の少なくとも一部が前記第１通信部の通信可能範囲の一部と重複するように設定されていることを特徴とする請求項２に記載の電子キーシステム。
【請求項４】
前記第２通信部の通信可能範囲は前記ドア付近まで及ぶように設定されていることを特徴とする請求項２又は３に記載の電子キーシステム。
【請求項５】
前記電子キー又は前記建物の屋内側には、前記電子キーが前記第２通信部の通信可能範囲にある場合であっても前記駆動部を駆動させる操作部が備えられていることを特徴とする請求項２乃至４のいずれか１項に記載の電子キーシステム。
【請求項６】
建物の屋内外を連通する出入口を開閉するドアと、
前記ドアを施解錠し又は開閉する駆動部と、
前記出入口の屋内外に跨る所定範囲を通信可能範囲として、ユーザにより所持される電子キーから送信される識別情報を無線通信により受信する第１通信部と、
前記第１通信部を通じて前記電子キーから受信した識別情報に基づいて前記駆動部を駆動させる制御部と、
を備える建物において、
屋内における所定範囲を通信可能範囲として前記電子キーと無線通信する第２通信部を備え、
前記制御部は、前記第２通信部を通じて前記電子キーから識別情報を受信した場合には、前記第１通信部による識別情報の受信にかかわらず前記駆動部の駆動をしないように制御することを特徴とする建物。
【請求項７】
前記出入口を介して屋外と連通する玄関を備え、
前記玄関には、前記電子キーを収納可能又は載置可能な箇所を有する家具が設けられ、
前記第２通信部の通信可能範囲は、少なくとも前記箇所を含むようにして設定されていることを特徴とする請求項６に記載の建物。
【発明の詳細な説明】
【技術分野】
【０００１】
本発明は、電子キーシステム及び建物に関する。
【背景技術】
【０００２】
住宅等の建物では、無線機能を有する電子キーを用い、その電子キーを所持した居住者が建物のドアに近づくと、ドアの施解錠が自動で行われる電子キーシステムが実用化されている。例えば、特許文献１では、居住者が携帯する電子キーによる認証に基づいてドアの施解錠が実行されるシステムが開示されている。これによれば、電子キーを携帯した居住者が建物に入るためにドアに近づき、当該ドア付近に設けられた通信装置の通信エリア内に入ると、電子キーから発信される識別情報が通信装置により受信される。そして、建物側ではその識別情報に基づいて居住者であるか否かの認証が行われ、その認証により居住者であることが判定されるとドアが自動で解錠される。これにより人手により直接操作をすることなくドアの施解錠を行うことができるため、利便性を高めることができる。
【先行技術文献】
【特許文献】
【０００３】
【特許文献１】特開２００３−７４２５６号公報
【発明の概要】
【発明が解決しようとする課題】
【０００４】
ところで、上記システムにおいて通信装置はドア付近に設けられているため、通信装置を中心として通信エリアが屋内外に跨って拡がっていることが想定される。この場合、電子キーが屋内側の通信エリア内（例えば建物の玄関等）に置き忘れられた場合等には、ユーザの意に反して電子キーと通信装置との間で通信が行われ、ユーザの知らぬ間にドアが解錠されてしまうおそれがある。したがって、不審者等の侵入を許す可能性があり、防犯性の面で問題がある。
【０００５】
また、電子キーシステムには、電子キーからの識別情報に基づいて認証が行われた上で、さらにユーザにより屋外側に設けられた施解錠スイッチによる施解錠操作が行われたことを条件としてドアの施解錠が実施されるものがある。これによれば、ユーザの意思によりドアが施解錠されるため、ユーザの知らぬ間にドアが施解錠されるおそれがないようにも思われる。しかしながら、この場合においても電子キーが玄関等の通信エリア内に置き忘れられた場合には、屋外側から不審者等により施解錠スイッチが解錠操作されれば上記システムと同様にドアが解錠されてしまう。さらに電子キーを所持したユーザが玄関付近の通信エリアを通るのを見計らって施解錠スイッチが解錠操作されることで、ドアが解錠される場合も考えられる。よって、かかる施解錠スイッチ付の電子キーシステムにおいても防犯性の面で未だ改善の余地が残されている。
【０００６】
なお、かかる問題は、電子キーによる認証に基づいてドアの施解錠を行うシステムのみならず、電子キーによる認証に基づいてドアを自動開閉するシステムにおいても同様に生じうる問題であるし、さらには電子キーによる認証に基づいて処理を行う建物内のシステム全般において生じうる問題である。
【０００７】
また、上記の問題は、建物内の機器を制御対象とした電子キーシステムにおいてのみ生じうる問題ではなく、車両等その他のものを制御対象とした電子キーシステムにおいても同様に生じうる問題である。例えば電子キーの認証に基づいて車両のドアの施解錠を行う車両用システムにおいては、同システムが搭載された車両が建物の近くに駐車された場合に、建物内に放置された電子キーによりユーザの意に反して車両のドアが解錠されるおそれがある。この場合、車内に装備されたカーナビゲーションシステム等の機器類が盗難される等の不都合な事態が生じることが想定される。
【０００８】
本発明は、上記事情に鑑みてなされたものであり、屋内に放置等された電子キーによりドアが解錠される等の処理がユーザの意に反して行われるのを防止することで、防犯性を高めることができる電子キーシステム及び建物を提供することを主たる目的とするものである。
【課題を解決するための手段】
【０００９】
上記課題を解決すべく、第１の発明の建物の施解錠システムは、固有の識別情報を送信する電子キーと、前記電子キーからの識別情報を無線通信により受信する第１通信部と、前記第１通信部を通じて前記電子キーから受信した識別情報に基づいて、予め定められた処理を実行する処理部と、を有する電子キーシステムにおいて、建物の屋内における所定範囲を通信可能範囲として前記電子キーと無線通信する第２通信部と、その第２通信部を通じて前記電子キーから識別情報を受信した場合には、前記第１通信部による識別情報の受信にかかわらず前記処理部による処理を行わないように制御する制御部と、を備えたことを特徴とする。
【００１０】
本発明によれば、第１通信部を通じて電子キーから受信した識別情報に基づいて処理部により予め定められた処理が実行される一方、第１通信部により識別情報を受信した場合でも屋内の所定範囲を通信可能範囲とする第２通信部を通じて電子キーから識別情報を受信した場合には処理部による処理が行われない。したがって、電子キーが屋内において第１通信部の通信可能範囲に放置等された場合でも、その放置等された場所が第２通信部の通信可能範囲であれば処理が行われない。よって、この場合ドアの解錠等の予め定められた処理がユーザの意に反して行われるのを防止することができ、その結果防犯性を高めることができる。
【００１１】
第２の発明の電子キーシステムは、第１の発明において、前記処理部は、建物の出入口を開閉するドアを施解錠し又は開閉する駆動部であり、前記第１通信部は、前記出入口の屋内外に跨る所定範囲を前記電子キーとの通信可能範囲とし、前記制御部は、前記第１通信部を通じて前記電子キーから受信した識別情報に基づいて前記駆動部を駆動させる一方、前記第２通信部を通じて前記電子キーから識別情報を受信した場合には前記駆動部の駆動をしないように制御することを特徴とする。
【００１２】
本発明によれば、第１通信部を通じて電子キーから受信した識別情報に基づいて駆動部によりドアの施解錠又は開閉が行われる一方、第１通信部により識別情報を受信した場合でも屋内の所定範囲を通信可能範囲とする第２通信部を通じて電子キーから識別情報を受信した場合には駆動部によるドアの施解錠又は開閉が行われない。したがって、電子キーが屋内において第１通信部の通信可能範囲に放置等された場合でも、その放置等された場所が第２通信部の通信可能範囲であればドアの施解錠又は開閉が行われない。よって、この場合ユーザの意に反してドアが解錠されたり開放されたりするのを防止できるため、ユーザの知らぬ間に不審者の侵入を許す等の不都合な事態を回避でき、その結果防犯性を高めることができる。
【００１３】
第３の発明の電子キーシステムは、第２の発明において、前記第２通信部の通信可能範囲の少なくとも一部が前記第１通信部の通信可能範囲の一部と重複するように設定されていることを特徴とする。
【００１４】
本発明によれば、屋内の所定範囲に設定されている第２通信部の通信可能範囲の少なくとも一部が第１通信部の通信可能範囲の一部と重複するように設定されているため、電子キーが屋内においてその重複範囲に放置等された場合には、電子キーの識別情報が第１通信部を通じて受信されるとともに、第２通信部を通じて受信される。したがって、この場合駆動部によるドアの施解錠又は開閉が行われないため、上記第２の発明の効果を具体的に実現させることができる。
【００１５】
ここで、屋内外に跨る第１通信部の通信可能範囲における屋内側のエリアの少なくとも一部に、第２通信部の通信可能範囲とは重複しない未重複エリアを設定するのがよい。この場合、電子キーを未重複エリアに入れることで、電子キーの識別情報を第１通信部のみに受信させ、屋内側から電子キーにより駆動部を駆動させることができる。これにより、第２通信部を設けたにもかかわらず、屋内側から電子キーによりドアを施解錠又は開閉することができる。
【００１６】
また、この未重複エリアは、人の通行不能な場所に設定するのがよい。そうすれば、電子キーを所持したユーザが誤って未重複エリアに入ることで、ユーザの意に反してドアが解錠されたり開放されたりするのを回避することができる。
【００１７】
第４の発明の電子キーシステムは、第２又は第３の発明において、前記第２通信部の通信可能範囲は前記ドア付近まで及ぶように設定されていることを特徴とする。
【００１８】
本発明によれば、第２通信部の通信可能範囲がドア付近まで及ぶように設定されているため、屋内外に跨る第１通信部の通信可能範囲における屋内側のエリアの大部分を第２通信部の通信可能範囲と重複させることができる。これにより、上記第２の発明の効果をより高い精度で実現させることが可能となる。
【００１９】
第５の発明の電子キーシステムは、第２乃至第４のいずれかの発明において、前記電子キー又は前記建物の屋内側には、前記電子キーが前記第２通信部の通信可能範囲にある場合であっても前記駆動部を駆動させる操作部が備えられていることを特徴とする。
【００２０】
本発明によれば、電子キーが第２通信部の通信可能範囲にある場合であっても電子キー又は建物の屋内側に設けられた操作部により駆動部を駆動させることができるため、上記第２の発明の効果を得つつ、屋内側からの操作によりドアを開閉又は施解錠することができる。
【００２１】
第６の発明の建物は、建物の屋内外を連通する出入口を開閉するドアと、前記ドアを施解錠し又は開閉する駆動部と、前記出入口の屋内外に跨る所定範囲を通信可能範囲として、ユーザにより所持される電子キーから送信される識別情報を無線通信により受信する第１通信部と、前記第１通信部を通じて前記電子キーから受信した識別情報に基づいて前記駆動部を駆動させる制御部と、を備える建物において、屋内における所定範囲を通信可能範囲として前記電子キーと無線通信する第２通信部を備え、前記制御部は、前記第２通信部を通じて前記電子キーから識別情報を受信した場合には、前記第１通信部による識別情報の受信にかかわらず前記駆動部の駆動をしないように制御することを特徴とする。
【００２２】
本発明によれば、第１通信部を通じて電子キーから受信した識別情報に基づいて駆動部によりドアの施解錠又は開閉が行われる一方、第１通信部により識別情報を受信した場合でも屋内の所定範囲を通信可能範囲とする第２通信部を通じて電子キーから識別情報を受信した場合には駆動部によるドアの施解錠又は開閉が行われない。したがって、電子キーが屋内において第１通信部の通信可能範囲に放置等された場合でも、その放置等された場所が第２通信部の通信可能範囲であればドアの施解錠又は開閉が行われない。よって、この場合ユーザの意に反してドアが解錠されたり開放されたりするのを防止できるため、ユーザの知らぬ間に不審者の侵入を許す等の不都合な事態を回避でき、その結果防犯性を高めることができる。
【００２３】
第７の発明の建物は、第６の発明において、前記出入口を介して屋外と連通する玄関を備え、前記玄関には、前記電子キーを収納可能又は載置可能な箇所を有する家具が設けられ、前記第２通信部の通信可能範囲は、少なくとも前記箇所を含むようにして設定されていることを特徴とする。
【００２４】
一般に、玄関は建物の出入口（ドア）に隣接して設けられているため、玄関に設けられた家具において電子キーを収納又は載置可能な箇所には電子キーが収納又は載置されたまま放置され易い。そこで、本発明では、この箇所を少なくとも含むように第２通信部の通信可能範囲を設定し、電子キーが上記箇所に放置された場合であっても、その電子キーによるドアの施解錠又は開閉が行われないようにしている。これにより、ユーザの意に反した玄関ドアの解錠をより効果的に防止することができる。
【図面の簡単な説明】
【００２５】
【図１】玄関周辺を示す平面図。
【図２】玄関周辺を示す縦断面図。
【図３】電子キーシステムを示す全体構成図。
【図４】屋外側コントローラの制御処理を示すフローチャート。
【図５】屋内側コントローラの制御処理を示すフローチャート。
【発明を実施するための形態】
【００２６】
以下に、本発明を具体化した一実施の形態について図面を参照しつつ説明する。なお、図１は玄関周辺を示す平面図であり、図２は玄関周辺を示す縦断面図である。
【００２７】
図１及び図２に示すように、建物１０は、屋内スペースとして玄関１１と、玄関１１に隣接して設けられる廊下１２及び居室１３とを備えている。玄関１１には、下駄箱１４が設置されている。下駄箱１４は、例えば建物１０に一体化されて設置されている。下駄箱１４は、靴を収納するスペースの他に、居住者の所有する鍵等を収納可能な引出し１４ａを備えている。また、下駄箱１４は、天板１４ｂを備えており、その天板１４ｂの高さ位置が花等を飾るのに適切な高さに設定されている。この天板１４ｂ上にも上記鍵等が置けるようになっている。なお、玄関１１における下駄箱１４の廊下１２側には、収納台等を設置することが可能な空きスペースＳが設けられている。
【００２８】
建物１０には、玄関１１と屋外とを連通する玄関口１５が設けられている。この玄関口１５を通じて建物１０への出入りが可能となっている。玄関口１５には、玄関ドア１６が設けられている。玄関ドア１６は、例えば回動式のドアであり、この玄関ドア１６が回動されることにより玄関口１５が開閉される。玄関ドア１６には、施解錠装置１７が設けられている。施解錠装置１７は、錠前を電気的に施解錠することにより玄関ドア１６の施錠及び解錠（ロック及びアンロック）を行う装置である。
【００２９】
建物１０には、玄関ドア１６の施解錠管理を行うための屋外側装置２０及び屋内側装置３０が設けられている。屋外側装置２０は、例えば玄関ドア１６周辺の外壁部に設置され、屋内側装置３０は例えば玄関１１内の内壁部に設置されている。以下、これら各装置２０，３０を中心として本電子キーシステムの電気的構成について図２に基づいて説明する。なお、図３は電子キーシステムを示す全体構成図である。
【００３０】
図３に示すように、屋外側装置２０は、屋外側コントローラ２１と、第１通信部としての屋外側通信部２２と、居住者により操作される屋外側スイッチ２３とを備えている。
【００３１】
屋外側コントローラ２１は、本電子キーシステムにおいて玄関ドア１６の施解錠制御を行うものであり、ＣＰＵ等を有する周知のマイクロコンピュータを備えて構成されている。屋外側コントローラ２１は、識別情報としてのＩＤコード情報を記憶するＩＤコード記憶部２１ａを有している。
【００３２】
屋外側通信部２２は、居住者が所持する電子キー４０との間で無線通信を行うものである。屋外側通信部２２は、その通信エリアが同通信部２２を中心として例えば半径８０ｃｍ程度の範囲に設定されており、そのエリア内において電子キー４０と通信可能とされている。本実施形態では、屋外側通信部２２の通信エリアが、図１及び図２において一点鎖線の枠で示すように屋内外に跨っており、その一部が玄関１１まで拡がっている。屋外側コントローラ２１は、この屋外側通信部２２と電気的に接続されており、屋外側通信部２２を介して電子キー４０と通信可能とされている。
【００３３】
なお、電子キー４０は、居住者が通常持ち歩くことができるサイズのキー型の携帯装置である。電子キー４０は、識別情報としてのＩＤコードを記憶する記憶機能を有している。本実施形態の電子キー４０には、当該電子キー４０固有のＩＤコードがあらかじめ記憶されている。
【００３４】
屋外側スイッチ２３は、屋外側から玄関ドア１６を施解錠操作するためのスイッチである。屋外側スイッチ２３は、屋外側コントローラ２１の入力側に接続されており、屋外側スイッチ２３が施解錠操作されると、操作信号が屋外側コントローラ２１に入力されるようになっている。
【００３５】
一方、屋内側装置３０は、屋内側コントローラ３１と、第２通信部としての屋内側通信部３２と、居住者により操作される屋内側スイッチ３３とを備えている。
【００３６】
屋内側コントローラ３１は、屋外側コントローラ２１とともに玄関ドア１６の施解錠制御を行うものであり、ＣＰＵ等を有する周知のマイクロコンピュータを備えて構成されている。屋内側コントローラ３１は、識別情報としてのＩＤコード情報を記憶するＩＤコード記憶部３１ａを有している。また、屋内側コントローラ３１の入力側には屋外側コントローラ２１が接続されている。屋内側コントローラ３１には、屋外側コントローラ２１における制御結果が同コントローラ２１より入力されるようになっている。
【００３７】
屋内側通信部３２は、居住者が所持する電子キー４０との間で無線通信を行うものである。屋内側通信部３２は、その通信エリアが同通信部３２を中心として例えば半径８０ｃｍ程度の範囲に設定されており、そのエリア内において電子キー４０と通信可能とされている。本実施形態では、屋内側通信部３２の通信エリアが、図１及び図２において二点鎖線の枠で示すように屋内側に設定され、主に玄関１１において拡がっている。詳細には、屋内側通信部３２の通信エリアは玄関１１において玄関ドア１６付近まで拡がっている一方、その一部が廊下１２に跨っている。
【００３８】
また、本実施形態では、屋内側通信部３２の通信エリアが下駄箱１４の引出し１４ａや天板１４ｂ上のエリアを少なくとも含むように拡がっている。一般に、玄関１１に設置された下駄箱１４の引出し１４ａや天板１４ｂの上には電子キー４０等の鍵類が放置され易いが、本実施形態ではその点を鑑みて引出し１４ａ及び天板１４ｂ上を少なくとも含むように屋内側通信部３２の通信エリアを設定した。なお、一般に通信装置の通信エリアは、気温の変動等の外乱に基づいてその大きさが変動する性質を有している。そのため、屋内側通信部３２の通信エリアにおいても外乱に基づいてその大きさが変動することが考えられるが、本実施形態ではその変動にかかわらず少なくとも下駄箱１４の引出し１４ａ及び天板１４ｂ上が同通信エリアに含まれるように設定されている。
【００３９】
そして、屋内側通信部３２の通信エリアは、その一部が屋外側通信部２２の通信エリアの一部と重複している。以下においては、この重複したエリアを重複エリアＡ（図１及び図２参照）という。屋内側コントローラ３１は、この屋内側通信部３２と電気的に接続されており、屋内側通信部３２を介して電子キー４０と通信可能とされている。
【００４０】
屋内側スイッチ３３は、屋内側から玄関ドア１６を施解錠操作するためのスイッチである。屋内側スイッチ３３は、屋内側コントローラ３１の入力側に接続されており、屋内側スイッチ３３が施解錠操作されると、操作信号が屋内側コントローラ３１に入力されるようになっている。
【００４１】
次に、本電子キーシステムにおいて玄関ドア１６を施解錠する場合における各コントローラ２１，３１の制御の内容について説明する。本システムでは、屋外側からは屋外側スイッチ２３の操作に基づいて、屋内側からは屋内側スイッチ３３の操作に基づいて、玄関ドア１６を施解錠することとしている。そこで、以下、屋外側スイッチ２３により玄関ドア１６を施解錠する場合と、屋内側スイッチ３３により玄関ドア１６を施解錠する場合とについてそれぞれ制御内容を説明する。
【００４２】
まず、屋外側スイッチ２３が施解錠操作された場合においては、屋外側コントローラ２１が屋外側スイッチ２３からの操作信号に基づいて屋外側通信部２２より前述した通信エリア（図１及び図２参照）にリクエスト信号を送信する。このリクエスト信号が電子キー４０により受信されると、電子キー４０がリクエスト信号の応答としてＩＤコード信号を送信する。そして、屋外側通信部２２がこのＩＤコード信号を受信するとＩＤコード信号が屋外側コントローラ２１に入力される。
【００４３】
屋外側コントローラ２１のＩＤコード記憶部２１ａには、識別情報としてのＩＤコード情報があらかじめ記憶されている。ＩＤコード記憶部２１ａに記憶されているＩＤコード情報は、電子キー４０に記憶されているＩＤコードに対応したものである。屋外側コントローラ２１は、電子キー４０からＩＤコード信号が入力されると、ＩＤコードの認証を行う。具体的には、屋外側コントローラ２１は、入力されたＩＤコード信号がＩＤコード記憶部２１ａに記憶されているＩＤコードと一致するか否かを判定する。そして、屋外側コントローラ２１は、上記ＩＤ認証の結果情報等を屋内側コントローラ３１に出力する。
【００４４】
屋内側コントローラ３１は、屋外側コントローラ２１から入力された情報に基づいて、施解錠装置１７に施解錠信号を出力し、玄関ドア１６の施解錠制御を実行する。具体的には、屋内側コントローラ３１は、必要に応じて屋内側通信部３２より前述した通信エリア（図１及び図２参照）にリクエスト信号を送信する。このリクエスト信号が電子キー４０により受信されると、電子キー４０がリクエスト信号の応答としてＩＤコード信号を送信する。そして、屋内側通信部３２がこのＩＤコード信号を受信するとＩＤコード信号が屋内側コントローラ３１に入力される。
【００４５】
屋内側コントローラ３１のＩＤコード記憶部３１ａには、識別情報としてのＩＤコード情報があらかじめ記憶されている。ＩＤコード記憶部３１ａに記憶されているＩＤコード情報は、電子キー４０に記憶されているＩＤコードに対応したものである。屋内側コントローラ３１は、電子キー４０からＩＤコード信号が入力されると、ＩＤコードの認証を行う。具体的には、屋内側コントローラ３１は、入力されたＩＤコード信号がＩＤコード記憶部３１ａに記憶されているＩＤコードと一致するか否かを判定する。そして、屋内側コントローラ３１は、上記ＩＤ認証の結果等に基づいて施解錠装置１７に施解錠信号を出力し、玄関ドア１６の施解錠制御を実施する。
【００４６】
一方、屋内側スイッチ３３が施解錠操作された場合には、屋内側コントローラ３１が屋内側スイッチ３３からの操作信号に基づいて施解錠装置１７に施解錠信号を出力し、玄関ドア１６の施解錠制御を実施する。
【００４７】
次に、本電子キーシステムにおいて実施される施解錠制御処理について説明する。ここでは、屋外側コントローラ２１によって実行される制御処理と、屋内側コントローラ３１によって実行される制御処理とについて説明する。
【００４８】
まず、屋外側コントローラ２１によって実行される制御処理について図４に示すフローチャートに基づいて説明する。なお、本処理は、居住者により屋外側スイッチ２３が施錠操作又は解錠操作されたことをトリガとして開始される。この場合、屋外側スイッチ２３が操作されたことは、屋外側スイッチ２３から操作信号が入力されたことをもって判断される。また、屋外側スイッチ２３が施錠操作されても解錠操作されても制御処理の流れは同じであるため、共通化したフローチャートに基づいて説明する。
【００４９】
まずステップＳ１１において、屋外側通信部２２より前述した通信エリア（図１及び図２参照）にリクエスト信号を送信する。
【００５０】
続くステップＳ１２では、リクエスト信号の応答として電子キー４０より送信されるＩＤコード信号を屋外側通信部２２を介して受信したか否かを判定する。ＩＤコード信号を受信していない場合には、ステップＳ１５に進み、ＩＤコード信号を受信している場合には、ステップＳ１３に進む。
【００５１】
ステップＳ１３では、電子キー４０から受信したＩＤコード信号があらかじめＩＤコード記憶部２１ａに記憶されているＩＤコードと一致しているか否かを判定する。電子キー４０からのＩＤコード信号があらかじめ記憶されているＩＤコードと一致している場合には、ステップＳ１４に進み、屋内側コントローラ３１に被許可者フラグを出力する。一方、電子キー４０からのＩＤコード信号があらかじめ記憶されているＩＤコードと一致していない場合には、ステップＳ１５に進み、屋内側コントローラ３１に不審者フラグを出力する。ステップＳ１４又はステップＳ１５の処理が終了後、本制御処理を終了する。
【００５２】
次に、屋内側コントローラ３１によって実行される制御処理について図５に示すフローチャートに基づいて説明する。なお、本処理は、所定の周期で繰り返し実行される。
【００５３】
まずステップＳ２１において、屋外側コントローラ２１よりフラグが入力されたか否かを判定する。フラグが入力されている場合には、ステップＳ２２に進み、入力されたフラグが被許可者フラグであるか否かを判定する。入力されたフラグが被許可者でない場合、すなわち不審者フラグである場合には、ステップＳ２７に進み、施解錠装置１７に施錠信号を出力する。これにより、玄関ドア１６が施錠されるため、不審者等による建物１０への侵入を防止することができる。なお、このときすでに施解錠装置１７が施錠状態にある場合には、そのまま施錠状態を継続する。一方、入力されたフラグが被許可者フラグである場合には、ステップＳ２３に進む。
【００５４】
ステップＳ２３では、屋内側通信部３２より前述した通信エリア（図１及び図２参照）にリクエスト信号を送信する。
【００５５】
続くステップＳ２４では、リクエスト信号の応答として電子キー４０より送信されるＩＤコード信号を屋内側通信部３２を介して受信したか否かを判定する。ＩＤコード信号を受信していない場合には、ステップＳ２６に進み、ＩＤコード信号を受信している場合には、ステップＳ２５に進む。
【００５６】
ステップＳ２５では、電子キー４０から受信したＩＤコード信号があらかじめＩＤコード記憶部３１ａに記憶されているＩＤコードと一致しているか否かを判定する。電子キー４０からのＩＤコード信号があらかじめ記憶されているＩＤコードと一致している場合には、本処理を終了する。この場合、電子キー４０は、屋外側通信部２２及び屋内側通信部３２の双方に対してＩＤコード信号を送信しているため、電子キー４０が両通信部２２，３２の重複エリアＡ（図１及び図２参照）にあると認定することができる。つまり、玄関１１において例えば下駄箱１４の天板１４ｂ上や引出し１４ａ等に放置されている電子キー４０により玄関ドア１６が施解錠されようとしていると認定できるため、施解錠装置１７による施解錠処理を実行しないまま、本制御処理を終了する。
【００５７】
一方、電子キー４０からのＩＤコード信号があらかじめ記憶されているＩＤコードと一致していない場合には、ステップＳ２６に進み、施解錠装置１７に施錠信号又は解錠信号を出力する。これにより、玄関ドア１６が施錠又は解錠される。詳細には、屋外側スイッチ２３が施錠操作されている場合には施錠され、屋外側スイッチ２３が解錠操作されている場合には解錠される。この場合、屋内側通信部３２の通信エリア外にある電子キー４０により、つまり屋外にある電子キー４０により玄関ドア１６が施解錠されようとしていると認定できるため、施解錠装置１７による施解錠処理を実行する。その後、本処理を終了する。
【００５８】
前述したステップＳ２１において屋外側コントローラ２１より入力されたフラグが被許可者フラグであると判定した場合には、ステップＳ２８に進み、屋内側スイッチ３３が施解錠操作されたか否かを判定する。屋内側スイッチ３３が施解錠操作された場合には、ステップＳ２６に進み、施解錠装置１７に施錠信号又は解錠信号を出力する。これにより、玄関ドア１６が施錠又は解錠される。詳細には、屋内側スイッチ３３が施錠操作された場合には施錠され、屋内側スイッチ３３が解錠操作された場合には解錠される。その後、本処理を終了する。一方、屋内側スイッチ３３が施解錠操作されていない場合には、本処理を終了する。
【００５９】
以上、詳述した本実施形態の構成によれば、以下の優れた効果が得られる。
【００６０】
玄関１１に電子キー４０との通信が可能な屋内側通信部３２を設け、その屋内側通信部３２が電子キー４０より正規のＩＤコード信号を受信した場合には、屋外側通信部２２が電子キー４０から正規のＩＤコード信号を受信している場合でも玄関ドア１６の施解錠を行わないようにした。したがって、電子キー４０が玄関１１において屋外側通信部２２の通信エリアに放置等された場合でも、その放置された場所が屋内側通信部３２の通信エリアであれば玄関ドア１６の施解錠が行われない。よって、この場合居住者の意に反して玄関ドア１６が解錠されるのを防止できるため、居住者の知らぬ間に不審者の侵入を許す等の不都合な事態を回避でき、その結果防犯性を高めることができる。
【００６１】
具体的には、屋内側通信部３２の通信エリアの一部を、屋外側通信部２2の通信エリアの少なくとも一部と重複するように設定し、電子キー４０がその重複エリアＡ（例えば下駄箱１４の引出し１４ａ内）に放置等された場合に、電子キー４０のＩＤコード信号が屋外側通信部２２により受信されるとともに屋内側通信部３２により受信されるようにした。この場合、玄関ドア１６の施解錠が行われるのを防止することができるため、上記の効果を具体的に実現することができる。
【００６２】
また、屋内側通信部３２の通信エリアを玄関ドア１６付近まで及ぶように設定することで、屋外側通信部２２の通信エリアにおける屋内側のエリアの大部分を屋内側通信部３２の通信エリアと重複させるようにした。これにより、屋内に放置等された電子キー４０により居住者の意に反して玄関ドア１６が解錠されるのをより高い精度で防止することができる。
【００６３】
電子キー４０が屋内側通信部３２の通信エリアにある場合であっても玄関ドア１６を施解錠させることが可能な屋内側スイッチ３３を玄関１１に設けた。これにより、屋内に放置等された電子キー４０により居住者の意に反して玄関ドア１６が解錠されるのを防止できるとともに、屋内側からの操作により玄関ドア１６を施解錠することができる。
【００６４】
一般に居住者は玄関１１において下駄箱１４の引出し１４ａ内や天板１４ｂ上に電子キー４０等の鍵類を放置し易いが、その放置しやすい下駄箱１４の引出し１４ａ内及び天板１４ｂ上を少なくとも含むように屋内側通信部３２の通信エリアを設定した。そのため、居住者の意に反した玄関ドア１６の解錠をより効果的に防止することができる。
【００６５】
屋外側通信部２２及び屋内側通信部３２の各通信エリアは一般に、気温の変化等の外乱に基づいてその大きさが変動する。そのため、電子キー４０を下駄箱１４の天板１４ｂ上に置いた時点では電子キー４０が屋外側通信部２２の通信エリア外にある場合でも、その後屋外側通信部２２の通信エリアが外乱に基づいて拡大することにより電子キー４０が事後的に屋外側通信部２２の通信エリア内に入ることが考えられる。この場合、その電子キー４０により玄関ドア１６が事後的に解錠されるおそれがある。その点、本実施形態によれば、屋内側通信部３２の通信エリアを同エリアの変動にかかわらず、少なくとも下駄箱１４の引出し１４ａ内及び天板１４ｂ上を含むように設定したため、下駄箱１４の引出し１４ａ内又は天板１４ｂ上に放置された電子キー４０により事後的に玄関ドア１６が解錠されるのを防止することができる。
【００６６】
屋内側通信部３２の通信エリアをその少なくとも一部が廊下１２に跨るように設定したため、玄関１１に設けられた空きスペースＳに収納台が設置された場合でもその収納台を屋内側通信部３２の通信エリアに含ませることができる。これにより、収納台の上等に電子キー４０が放置された場合でも、その電子キー４０により居住者の意に反して玄関ドア１６が解錠されるのを防止することができる。
【００６７】
本発明は上記実施形態に限らず、例えば次のように実施されてもよい。
【００６８】
（１）上記実施形態では、居住者によるスイッチ２３，３３の操作と電子キー４０から送信されるＩＤコードの認証とに基づいて玄関ドア１６の施解錠が行われる施解錠システムに本発明を適用したが、これを変更して、電子キー４０からのＩＤコードの認証のみに基づいて玄関ドア１６が施解錠されるシステムに対して本発明を適用してもよい。この場合、屋外側通信部２２の通信エリアにおける屋内側のエリアの一部に設けられた屋内側通信部３２の通信エリアとは重複しないエリアＢ（以下、未重複エリアＢという。図１参照）に電子キー４０を入れることで、電子キー４０のＩＤコード信号を屋外側通信部２２のみに受信させ、屋内側から電子キー４０により施解錠装置１７の施解錠を実行させることができる。これにより、屋内側通信部３２を設けたにもかかわらず、屋内側から電子キー４０により玄関ドア１６を施解錠することができる。
【００６９】
（２）また、未重複エリアＢを、居住者が通行不能な場所に設定してもよい。例えば、玄関１１に傘立てや植木鉢等が置かれている場所を未重複エリアＢとして設定することが考えられる。そうすれば、電子キー４０を所持する居住者が玄関１１の掃除をしている場合等に未重複エリアＢに入ることで、玄関ドア１６が居住者の意に反して解錠されるのを回避することが期待できる。また、未重複エリアＢを居住者が通行不能な大きさに設定しても、同様の効果を得ることができる。
【００７０】
（３）上記実施形態では、電子キー４０からのＩＤコード信号に基づいてドア１６の施解錠を行う施解錠システムに本発明の電子キーシステムを適用したが、電子キーからのＩＤコード信号に基づいてその他の処理を行うシステムに対して本発明の電子キーシステムを適用してもよい。例えば、ドアを開閉する駆動部を電子キーからのＩＤコード信号に基づいて駆動し、これによってドアの開閉を行うドア開閉システムに適用することが考えられる。
【００７１】
（４）上記実施形態では、本発明の電子キーシステムを建物１０内の機器（施解錠装置１７）を制御対象としたシステムに適用したが、これを変更して、車両等その他のものを制御対象としたシステムに本発明の電子キーシステムを適用してもよい。その一例として、車両のドアの施解錠システムに対して本発明のシステムを適用することが考えられる。この場合、建物１０の近くに車両が駐車された場合でも、建物１０内に放置された電子キーにより車両のドアがユーザの意に反して解錠されるのを防止することができるため、ユーザの知らぬ間に車内に装備されたオーディオ機器等が盗難される等の不都合な事態を回避できる。
【００７２】
（５）上記実施形態では、屋内側通信部３２を建物１０内において玄関１１に設置したが、屋内側通信部３２は必ずしも玄関１１に設置する必要はなく、建物１０内におけるその他の場所に設置してもよい。例えば、上記（４）において説明した車両ドアの施解錠システムに本発明の電子キーシステムを適用した場合には、建物１０において駐車場に隣接した居室等に屋内側通信部３２を設置するのが望ましい。この場合、上記居室等に放置等された電子キー４０により駐車場に駐車中の車両のドアがユーザの意に反して解錠されるのを防止する効果が期待できる。
【００７３】
（６）上記実施形態では、玄関１１に屋内側スイッチ３３を設け、このスイッチ３３の操作に基づいて屋内側から玄関ドア１６の施解錠を行うようにしたが、これを変更してもよい。例えば、屋内側スイッチ３３に代えて又は付加して、電子キー４０に操作部を設け、この操作部の操作に基づいて屋内側から玄関ドア１６の施解錠を行うようにしてもよい。
【００７４】
（７）上記実施形態では、電子キー４０として玄関ドア１６の施解錠専用キーを用いたが、これに代えて、建物１０と車両とで共用できる電子キー等その他の電子キーを用いてもよい。
【００７５】
（８）上記実施形態では、屋外側コントローラ２１と、屋内側コントローラ３１との２つのコントローラにより玄関ドア１６の施解錠制御を行う構成としたが、コントローラを１つにして１つのコントローラにより図４に示す制御処理と図５に示す制御処理とを行う構成としてもよい。
【００７６】
（９）上記実施形態では、屋外側コントローラ２１と、屋外側通信部２２と、屋外側スイッチ２３とを屋外側装置２０が一体として備える構成としたが、これを変更して、これら各機器２１〜２３を別々に配置する構成としてもよい。また、屋内側装置３０に備えられた屋内側コントローラ３１と、屋内側通信部３２と、屋内側スイッチ３３とについても同様に別々に配置する構成としてもよい。
【００７７】
（１０）上記実施形態では、屋内側通信部３２を１つだけ設置する構成としたが、屋内側通信部３２を複数設置する構成としてもよい。例えば、上記実施形態において屋内側通信部３２をさらに１つ追加し、その追加した屋内側通信部３２の通信エリアを未重複エリアＢ（図１参照）を含むように設定すれば、屋外側通信部２２の通信エリアにおける屋内側のエリアと屋内側通信部３２の通信エリアとの重複エリアを拡張させることができるため、屋内に放置等された電子キー４０による居住者の意に反した玄関ドア１６の解錠をより高い精度で防止することができる。
【００７８】
また、玄関１１の真上に二階居室等を有する建物において、屋外側通信部２２の通信エリアが二階居室に及んでいる場合には、屋内側通信部３２をその通信エリアが二階居室に及ぶように追加設置するのがよい。そうすれば、二階居室に電子キー４０が放置等された場合でも、その電子キー４０により居住者の意に反して玄関ドア１６が解錠されるのを防止できる。
【００７９】
（１１）一般に通信エリアの大きさは、気温等により変動するものであるため、各通信部２２，３２の通信エリアが季節に応じて変動し、その結果各通信部２２，３２の重複エリアＡが季節に応じて大小変動することが想定される。その点を鑑みると、各通信部２２，３２の通信エリアの大きさを可変に設定可能としてもよい。この場合、季節に応じて各通信部２２，３２の通信エリアの大きさを調整することで重複エリアＡを季節にかかわらずほぼ一定の大きさに保つことが可能となる。
【符号の説明】
【００８０】
１０…建物、１４…家具としての下駄箱、１４ａ…引出し、１４ｂ…天板、１５…出入口としての玄関口、１６…ドアとしての玄関ドア、１７…処理部及び駆動部としての施解錠装置、２０…屋外側装置、２１…制御部としての屋外側コントローラ、２２…第１通信部としての屋外側通信部、２３…屋外側スイッチ、３０…屋内側装置、３１…制御部としての屋内側コントローラ、３２…第２通信部としての屋内側通信部、３３…操作部としての屋内側スイッチ、４０…電子キー。
【図１】
2010203086.tif 000003
【図２】
2010203086.tif 000004
【図３】
2010203086.tif 000005
【図４】
2010203086.tif 000006
【図５】
2010203086.tif 000007